(57)【要約】【課題】ユーザ自身の好みの番組情報がより容易に入手可能であるシステムを提供する。【解決手段】システム１は、番組キーワードを含む番組により構成される番組表に関する番組表データを送信する送信手段を備えるサーバ２００と、サーバ２００から送信された番組表データを受信する電子機器受信手段と、入力された入力キーワードを記憶する記憶手段と、受信した番組表データが記憶手段に記憶された入力キーワードに対応する番組キーワードを含んでいるか否かを判定する判定手段と、判定手段により番組表データが入力キーワードを含んでいると判定された場合、入力キーワードに対応する番組キーワードを含む番組に関する対応番組データを送信する電子機器送信手段とを備える電子機器３００と、対応番組データを受信する端末受信手段を備える携帯情報端末４００とを有する。【選択図】図１
2007174122.tif 000002
【特許請求の範囲】
【請求項１】
番組キーワードを含む番組により構成される番組表に関する番組表データを、通信媒体を介して送信する送信手段を備えるサーバと、
前記サーバから送信された番組表データを受信する電子機器受信手段と、ユーザの操作によって入力された入力キーワードを記憶する記憶手段と、前記電子機器受信手段より受信した番組表データが前記記憶手段に記憶された入力キーワードに対応する番組キーワードを含んでいるか否かを判定する判定手段と、前記判定手段により番組表データが入力キーワードを含んでいると判定された場合、入力キーワードに対応する番組キーワードを含む番組に関する対応番組データを、通信媒体を介して送信する電子機器送信手段とを備える電子機器と、
前記電子機器から送信された対応番組データを受信する端末受信手段を備える携帯情報端末とを有することを特徴とするシステム。
【請求項２】
前記携帯情報端末は、前記端末受信手段により受信した複数の対応番組データに関する各々の対応番組情報を表示する表示手段と、
当該表示手段に表示される各々の対応番組情報のうち、いずれかの対応番組情報をユーザが選択する選択操作が可能な番組選択手段と、前記番組選択手段によって選択された対応番組情報に関する選択対応番組データを通信媒体を介して送信する端末送信手段とを備え、
前記電子機器は、前記電子機器受信手段が、前記携帯情報端末から送信された選択対応番組データを受信する一方、当該受信した選択対応番組データに関する番組を記録する記録手段とを備えることを特徴とする請求項１に記載のシステム。
【請求項３】
前記サーバは、前記送信手段が、複数の番組キーワードを含む番組により構成される番組表に関する番組データを、通信媒体を介して送信し、
前記電子機器は、前記記憶手段が、前記電子機器受信手段によって受信した番組表データに含まれる複数の番組キーワードを記憶し、前記判定手段によって前記電気機器受信手段に受信された番組表データが入力キーワードを含んでいると判定された場合、前記電子機器送信手段が当該番組表データに含まれる入力キーワードとは異なる番組キーワードに関する同類番組キーワード情報を前記サーバに送信するシステムであって、
前記サーバは、前記同類番組キーワード情報を受信する受信手段を備える一方、前記送信手段が、前記受信手段によって受信した同類番組キーワード情報に基づく番組キーワードを含む番組により構成される番組表に関する同類番組表データを通信媒体を介して送信し、
前記電子機器は、前記電子機器送信手段が、前記電子機器受信手段によって受信した同類番組表データに応じた対応同類番組データを通信媒体を介して送信することを特徴とする請求項１又は２に記載のシステム。
【請求項４】
前記携帯情報端末における前記選択手段は、端末受信手段によって受信した対応同類番組データの送信を有効化するか否かをユーザの選択操作で選択させる機能を有す一方、前記携帯端末送信手段が、前記選択手段による選択結果である選択結果データを通信媒体を介して送信し、
前記電子機器は、前記電子機器受信手段によって受信された選択結果データに基づき、前記電子機器送信手段による対応同類番組データの送信を有効化するか否かの決定を制御する電子機器制御手段とを備えることを特徴とする請求項３記載のシステム。
【請求項５】
請求項１に記載のシステムに用いられるサーバであって、
前記電子機器から送信された対応番組データを受信する受信手段と、
当該受信手段に受信された対応番組データを前記送信手段により前記携帯情報端末に送信する制御を行うサーバ制御手段とを備えることを特徴とするサーバ。
【発明の詳細な説明】
【技術分野】
【０００１】
本発明は、通信媒体を介したシステムに関する。
【背景技術】
【０００２】
従来、ＴＶ電波やインターネットなどを通じて、複数の番組から構成される番組表に関する番組データがビデオなど電子機器に送信されるシステムが知られている。このシステムにおいては、例えば、ビデオに、番組表に使用されるキーワードのうちユーザ自身が好みの番組によく使用されるキーワードを予め記憶すると、上記送信される番組データから、記憶されたキーワードを検索して、該当する番組を録画する。
【０００３】
しかし、キーワ−ドを含む番組の中には、ユーザの好みの番組ではない場合があり、記憶されたキーワードに基づいて録画された番組がどのような番組であるか、例えば、外出中などに知ることができない。
【０００４】
また、このようなシステムとして、ユーザが携帯電話により、インターネットなど通信媒体を介してサーバにアクセスし、番組選択用のキーワードなどをサーバに送信し、サーバはキ−ワードを含む番組を検索して個別番組表を作成し、デジタル放送波に個別番組表を載せて送信するシステムが提案されている。このシステムでは、従来のように放送される全ての番組からなる番組表が送られずに、キーワードを含むユーザ好みの番組表が送信される。
【特許文献１】特開２００２−１２５１６８号公報
【発明の開示】
【発明が解決しようとする課題】
【０００５】
しかしながら、上記のシステムでは、例えば、デジタル放送を、ビデオなどの電子機器に録画するには、送信された番組表を電子機器上に表示させて録画する番組を選び、録画するといった操作を行わなければならない。従って、外出中や、電子機器上に表示させた番組表を見て録画操作をする暇が無いときには、ユーザは好みの番組情報を入手することが困難であるため、好みの番組が放映されることを知ることが困難である。また、好みの番組情報を得ることが困難であるため、好みの番組を録画することも困難であり、非常に不便である。
【０００６】
このため、外出中や、電子機器上に表示させた番組表を見る暇が無いときに、ユーザ自身の好みの番組情報がより容易に入手可能であるシステムの提供が求められている。
【０００７】
本発明は、上述した課題に鑑みてなされたものであり、その目的は、ユーザ自身の好みの番組情報がより容易に入手可能であるシステムを提供することである。
【課題を解決するための手段】
【０００８】
以上のような目的を達成するために、本発明は、以下のようなものを提供する。
【０００９】
（１）  番組キーワードを含む番組により構成される番組表に関する番組表データを、通信媒体を介して送信する送信手段を備えるサーバと、前記サーバから送信された番組表データを受信する電子機器受信手段と、ユーザの操作によって入力された入力キーワードを記憶する記憶手段と、前記電子機器受信手段より受信した番組表データが前記記憶手段に記憶された入力キーワードに対応する番組キーワードを含んでいるか否かを判定する判定手段と、前記判定手段により番組表データが入力キーワードを含んでいると判定された場合、入力キーワードに対応する番組キーワードを含む番組に関する対応番組データを、通信媒体を介して送信する電子機器送信手段とを備える電子機器と、前記電子機器から送信された対応番組データを受信する端末受信手段を備える携帯情報端末とを有することを特徴とするシステム。
【００１０】
（１）の発明によれば、サーバから送信された番組表データに、あらかじめユーザが入力した入力キーワード（例えば、サッカーやニュースなど）に対応する番組キーワードが含まれると判定手段が判定した場合、この入力キーワードを含む番組（例えば、サッカー番組やニュース番組など）により構成される番組表に関する対応番組データ（例えば、テレビやラジオなどの番組表データ）を、携帯情報端末（例えば、携帯電話やページャやパーソナルデジタルアシスタント（ＰＤＡ）やノートパソコンなど）に送信する。このように、ユーザが携帯情報端末上で入力キーワードを含む番組により構成される番組表に関する対応番組データを確認し、好みの番組情報をより容易に入手することが可能であるシステムを提供することができる。
【００１１】
（２）  （１）に記載のシステムにおいて、前記携帯情報端末は、前記端末受信手段により受信した複数の対応番組データに関する各々の対応番組情報を表示する表示手段と、当該表示手段に表示される各々の対応番組情報のうち、いずれかの対応番組情報をユーザが選択する選択操作が可能な番組選択手段と、前記番組選択手段によって選択された対応番組情報に関する選択対応番組データを通信媒体を介して送信する端末送信手段とを備え、前記電子機器は、前記電子機器受信手段が、前記携帯情報端末から送信された選択対応番組データを受信する一方、当該受信した選択対応番組データに関する番組を記録する記録手段とを備えることを特徴とするシステム。
【００１２】
（２）の発明によれば、（１）の発明に加えて、携帯情報端末が、受信した対応番組データに含まれる対応番組情報から、記録が必要な記録番組を選択し、選択した記録番組に関する選択対応番組データを電子機器（例えば、録音機能付ラジオ、ビデオ、ハードディスクレコーダ、ＤＶＤレコーダなど）に送信する。電子機器が、受信した選択対応番組データに基づき記録番組を記憶（例えば、録音や録画）する。このため、ユーザが携帯情報端末を操作することによって、電子機器に番組の記憶を容易に行わせることができる。このように、ユーザ自身の好みの番組情報がより容易に入手可能であるとともに、好みの番組をより容易に記録することが可能なシステムを提供することができる。
【００１３】
（３）  （１）又は（２）記載のシステムにおいて、前記サーバは、前記送信手段が、複数の番組キーワードを含む番組により構成される番組表に関する番組データを、通信媒体を介して送信し、前記電子機器は、前記記憶手段が、前記電子機器受信手段によって受信した番組表データに含まれる複数の番組キーワードを記憶し、前記判定手段によって前記電気機器受信手段に受信された番組表データが入力キーワードを含んでいると判定された場合、前記電子機器送信手段が当該番組表データに含まれる入力キーワードとは異なる番組キーワードに関する同類番組キーワード情報を前記サーバに送信するシステムであって、前記サーバは、前記同類番組キーワード情報を受信する受信手段を備える一方、前記送信手段が、前記受信手段によって受信した同類番組キーワード情報に基づく番組キーワード含む番組により構成される番組表に関する同類番組表データを通信媒体を介して送信し、前記電子機器は、前記電子機器送信手段が、前記電子機器受信手段によって受信した同類番組表データに応じた対応同類番組データを通信媒体を介して送信することを特徴とするシステム。
【００１４】
（３）の発明によれば、（１）又は（２）の発明に加えて、電子機器（例えば、録音機能付ラジオ、ビデオ、ハードディスクレコーダ、ＤＶＤレコーダなど）が受信した複数の番組キーワード（例えば、サッカーとスペインなど）を含む番組（例えば、スペインサッカー番組など）により構成される番組表に関する番組データの中に入力キーワード（例えば、サッカーなど）が含まれていると判定した場合、入力キーワードとは異なる同類番組キーワード（例えば、スペインなど）をサーバに送信する。さらに、サーバが、受信した同類番組キーワードに基づく番組キーワードを含む番組（例えば、スペイン料理番組や芸術番組など）により構成される番組表に関する同類番組表データを電子機器に送信する。さらに、電子機器が、受信した同類番組表データに応じた選択番組データを携帯情報端末（例えば、携帯電話やページャやパーソナルデジタルアシスタント（ＰＤＡ）やノートパソコンなど）に送信する。このため、携帯情報端末において、ユーザが同類番組キーワード（例えば、スペインなど）を含む番組表を見ることによって、ユーザ自身が認識していなかった、新たな好みのキーワードである同類番組キーワードを含む番組情報を容易に入手し得る。このように、ユーザ自身の好みの番組情報がより容易に入手可能であるとともに、好みの番組をより容易に記録することが可能なシステムを提供することができる。
【００１５】
（４）  （３）記載のシステムにおいて、前記携帯情報端末における前記選択手段は、端末受信手段によって受信した対応同類番組データの送信を有効化するか否かをユーザの選択操作で選択させる機能を有す一方、前記携帯端末送信手段が、前記選択手段による選択結果である選択結果データを通信媒体を介して送信し、前記電子機器は、前記電子機器受信手段によって受信された選択結果データに基づき、前記電子機器送信手段による対応同類選択番組データの送信を有効化するか否かの決定を制御する電子機器制御手段とを備えることを特徴とするシステム。
【００１６】
（４）の発明によれば、（３）の発明に加えて、携帯情報端末から選択結果データを電子機器に送信することによって、電子機器からの対応同類番組データ送信を有効化するか否かを選択することができる。このため、ユーザにとって新たな好みのキーワードである同類番組キーワード（例えば、スペインなど）を含む番組により構成される番組表に関する同類番組情報のみの携帯情報端末への送信を有効化することで、同類番組キーワードを含む番組情報をより選択的に入手し得る。このように、ユーザ自身の好みの番組情報がより容易に入手可能であるとともに、好みの番組をより容易に記録することが可能なシステムを提供することができる。
【００１７】
（５）  （１）に記載のシステムに用いられるサーバであって、前記電子機器から送信された対応番組データを受信する受信手段と、当該受信手段に受信された対応番組データを前記送信手段により前記携帯情報端末に送信する制御を行うサーバ制御手段とを備えることを特徴とするサーバ。
【００１８】
（５）の発明によれば、（１）の発明に加えて、サーバが、あらかじめユーザにより電子機器に入力された入力キーワード（例えば、サッカーやニュースなど）に関する対応番組データ（例えば、テレビやラジオなどの番組表データ）を電子機器から受信し、この対応番組データを携帯情報端末（例えば、携帯電話やページャやパーソナルデジタルアシスタント（ＰＤＡ）やノートパソコンなど）に送信する。このように、携帯情報端末に対して入力キーワードを含む番組により構成される番組表に関する対応番組データを送信することにより、携帯情報端末を持つユーザが、好みの番組情報をより容易に入手することが可能となるサーバを提供することができる。
【発明の効果】
【００１９】
本発明によれば、サーバから送信された番組表データに、あらかじめユーザが入力した入力キーワードに対応する番組キーワードが含まれると判定手段が判定した場合、この入力キーワードを含む番組により構成される番組表に関する対応番組データを、携帯情報端末に送信することにより、ユーザが携帯情報端末上で入力キーワードを含む番組により構成される番組表に関する対応番組データを確認し、好みの番組情報をより容易に入手することが可能であるシステムを提供することができる。
【発明を実施するための最良の形態】
【００２０】
図１は、本発明の一実施形態のシステムを示す概念図である。図１に示すように、システム１は、インターネットなどの通信媒体１００により接続された番組表データなどを送信する送信サーバ２００と、番組表データなどを受信し番組を記録することができる電子機器３００と、この送信サーバ２００や電子機器３００とデータの送受信が可能な携帯情報端末４００とを備えて構成されている。
【００２１】
詳しくは、後述するが、送信サーバ２００は、番組キーワードを含む番組により構成される番組表に関する番組表データを、通信媒体の一例である通信媒体１００を介して電子機器３００に送信する。電子機器３００は、サーバから送信された番組表データを受信する。電子機器３００は、受信した番組表データが、ユーザの操作によって入力された入力キーワードに対応する番組キーワードを含んでいるか否かを判定し、番組表データが入力キーワードを含んでいると判定された場合、入力キーワードに対応する番組キーワードを含む番組に関する対応番組データを、通信媒体１００を介して携帯情報端末４００に送信する。さらに、携帯情報端末４００は、電子機器から送信された対応番組データを受信する。
【００２２】
このため、送信サーバ２００から送信された番組表データに、あらかじめユーザが入力した入力キーワード（例えば、サッカーやニュースなど）に対応する番組キーワードが含まれると判定した場合、この入力キーワードを含む番組（例えば、サッカー番組やニュース番組など）により構成される番組表に関する対応番組データ（例えば、テレビやラジオなどの番組表データ）を、携帯情報端末４００（例えば、携帯電話やページャやパーソナルデジタルアシスタント（ＰＤＡ）やノートパソコンなど）に送信する。このように、ユーザが携帯情報端末４００上で入力キーワードを含む番組により構成される番組表に関する対応番組データを確認し、好みの番組情報をより容易に入手することが可能であるシステムを提供することができる。
【００２３】
図２は、本発明の一実施形態の送信サーバを示すブロック図である。図２に示すように、送信サーバ２００は、通信媒体１００と接続する送信手段の一例であるアンテナ２６０と、アンテナ２６０と接続し各種データの送受信用の変換を行なう送受信用インターフェース２４０と、送受信用インターフェース２４０と接続し、送信サーバ２００の各種制御を行なうサーバ制御手段の一例である制御部２１０と、制御部２１０に接続し、キーワード情報を含む番組データを記憶している番組データ記憶部２５０と、制御部２１０に接続し、送信サーバ管理者の入力操作によって、新たな番組キーワード情報などの情報を入力することが可能な入力部２３０と、制御部２１０に接続し、一時的に各種情報を記録することが可能なメモリ２２０とを備えて構成される。なお、入力部２３０は、キーボードや、トラックボール、マウス、タッチパネルなど送信サーバ２００に情報を入力することが可能ないかなる入力装置であっても良い。また、番組データ記憶部２５０は、番組キーワードを含む番組により構成される番組表に関する番組表データ、同類番組キーワード情報に基づく番組キーワードを含む番組により構成される番組表に関する同類番組表データなどを記憶している。
【００２４】
詳しくは後述するが、アンテナ２６０は、送信サーバ２００の送信手段、受信手段として機能する。例えば、アンテナ２６０は、番組データ記憶部２５０に記憶された番組キーワードを含む番組により構成される番組表に関する番組表データを、通信媒体１００を介して送信する送信手段として機能する。また、アンテナ２６０は、同類番組キーワード情報を受信する受信手段として機能するとともに、受信した同類番組キーワード情報に基づく番組キーワードを含む番組により構成される番組表に関する同類番組表データを通信媒体を介して送信する送信手段として機能する。さらに、アンテナ２６０は、制御部２１０による制御に基づき、後述する電子機器３００から送信された対応番組データを受信し、受信した対応番組データを携帯情報端末に送信する。
【００２５】
図３は、本発明の一実施形態の電子機器を示すブロック図である。図３に示すように、電子機器３００は、通信媒体１００に接続され、番組データを含む各種情報を送受信するアンテナ３６０と、アンテナ３６０に接続され、各種情報をアンテナ３６０から送信可能に変換する送信回路３４０と、アンテナ３６０に接続され、各種情報をアンテナ３６０から受信した各種情報を変換する受信回路３５０と、送信回路３４０や受信回路３５０などと接続され、電子機器３００の各種制御を行なう制御手段の一例である制御部３１０と、制御部３１０に接続され、ユーザの操作によって入力キーワードを入力することが可能な入力部３３０と、制御部３１０に接続され、ユーザの入力部３３０の操作によって入力された入力キーワードを記憶するメモリ３２０と、受信した番組データを録画する録画部３７０とを備えて構成されている。制御部３１０は、ＣＰＵなどの複数の電子回路より構成されている。
【００２６】
詳しくは後述するが、制御部３１０は、電子機器受信手段の一例であるアンテナ３６０が、送信サーバ２００から送信された番組表データを受信するように制御し、判定手段の一例である制御部３１０は、アンテナ３６０により受信した番組表データが記憶手段の一例であるメモリ３２０に記憶された入力キーワードに対応する番組キーワードを含んでいるか否かを判定する。さらに、制御部３１０は、この判定の結果、番組表データが入力キーワードを含んでいると判定された場合、電子機器送信手段の一例であるアンテナ３６０が、入力キーワードに対応する番組キーワードを含む番組に関する対応番組データを通信媒体１００を介して送信するように制御を行なう。
【００２７】
また、制御部３１０は、アンテナ３６０が、携帯情報端末４００から送信された選択対応番組データを受信し、受信した選択対応番組データに関する番組を録画部３７０が記録するように制御を行なう。
【００２８】
また、制御部３１０は、アンテナ３６０によって受信した番組表データに含まれる複数の番組キーワードをメモリ３２０に記憶し、この受信された番組表データが、ユーザによって入力された入力キーワードを含んでいる場合、この番組表データに含まれる入力キーワードとは異なる番組キーワードに関する同類番組キーワード情報を送信サーバ２００に送信するように制御する。
【００２９】
また、電子機器制御手段の一例である制御部３１０は、電子機器受信手段によって受信された選択結果データに基づき、電子機器送信手段による対応同類番組データの送信を有効化するか否かの決定を制御する。
【００３０】
また、制御部３１０は、アンテナ３６０によって受信した同類番組表データに応じた対応同類番組データを通信媒体を介して送信するように制御を行なう。
【００３１】
入力部３３０は、キーボードなどを備えて構成され、ユーザの入力により入力キーワードを入力することが可能である。入力キーワードの例としては、スポーツ番組や料理番組や音楽番組などの番組のカテゴリーによるキーワードや、スポーツ選手名や歌手や役者名や脚本家や監督名などの人名によるキーワードなどがある。また、本実施形態において入力部３３０は、キーボードなどを備えて構成されと記載したが本発明はこれに限定されず、タッチパネル、マウス、トラックボール、リモコンなどあらゆる入力装置であっても良い。
【００３２】
録画部３７０は、ハードディスクを備えて構成される。番組録画時には、録画部３７０において、受信したデータを音声信号と映像信号に分ける。さらに、録画部３７０内の音声Ａ／Ｄ変換器において、受信された音声信号が、アナログからデジタル信号にＡ／Ｄ変換される。さらに、録画部３７０内のＹ／Ｃ分離回路において、受信された映像信号の伝送効率をよくするため、輝度信号Ｙ（ワイ）と色信号Ｃ（クロマ）に分離する。さらに、録画部３７０内のＮＴＳＣデコーダにおいて、ＮＴＳＣ信号（日本や米国で現在使われているテレビ方式）を解読する。なお、本実施形態においてＮＴＳＣ信号を記載したが、本発明はＮＴＳＣに限定されず、他の信号であっても良い。
【００３３】
ノイズが入った状態の信号をエンコードすると画質が悪化するため、録画部３７０内のイメージプロセッサによって圧縮前の映像のノイズ除去を行い、画質を改善する。さらに、録画部３７０内のビデオエンコーダーにおいて、ノイズ除去処理したデータを圧縮する。さらに、録画部３７０内のオーディオエンコーダーにおいて、オーディオ信号を圧縮する。さらに、録画部３７０内のマルチプレックス・デマルチプレックスにおいて、圧縮（エンコード）されたオーディオ信号とビデオ信号を１つにまとめ、データをハードディスクに書き込む。ハードディスクは、４０ＧＢで最大２６時間の録画が可能となっている。録画部３７０は、ハードディスクによる記録に対応しているため、例えば外部ハードディスクに番組データを記録することによって、容量を増加しより多くの番組を記録することが可能となる。なお、本実施形態において、録画部の一例として、ハードディスクを記載したが、本発明はこれに限定されず、ビデオ、ＣＤ（コンパクトディスク）やＤＶＤ（デジタル多用途ディスク）ドライブなど既存のあらゆる記憶媒体であっても良い。
【００３４】
図４は、本発明の一実施形態の携帯情報端末を示すブロック図である。図４に示すように、携帯情報端末４００は、通信媒体１００と接続するアンテナ４８５と、アンテナ４８５と接続した送信部４８０と、アンテナ４８５と接続した受信部４９０と、送信部４８０や受信部４９０などと接続した制御部４１０と、制御部４１０と接続したマイク部４２０と、制御部４１０と接続したスピーカ部４３０と、制御部４１０と接続した表示部４４０と、制御部４１０と接続した操作部４５０と、制御部４１０と接続したＲＯＭ４６０と、制御部４１０と接続したメモリ４７０とを備えて構成される。
【００３５】
制御部４１０は、携帯情報端末４００の各種制御を行なう制御手段の一例である。マイク部４２０は、携帯情報端末４００の音声入力手段の一例であり、入力された音声が電子情報に変換される。スピーカ部４３０は、携帯情報端末４００の音声発生手段の一例であり、制御部４１０からの情報に基づき音声を発生する。表示部４４０は、携帯情報端末４００の表示手段の一例であり、制御部４１０からの情報に基づき、各々の対応番組情報などの表示を行なう。操作部４５０は、携帯情報端末４００の番組選択手段の一例であり、ユーザによる操作部４５０の操作に基づき制御部４１０が様々な制御を行なう。例えば、操作部４５０によって、表示手段に表示される各々の対応番組情報のうち、いずれかの対応番組情報をユーザが選択する選択操作が可能である。また、操作部４５０によって、端末受信手段によって受信した対応同類番組データの送信を有効化するか否かをユーザの選択操作で選択させることが可能である。ＲＯＭ４６０は、携帯情報端末４００の記憶手段の一例であり、携帯情報端末４００用の各種プログラムやテーブルが格納されている。メモリ４７０は、携帯情報端末４００の一時記憶手段の一例であり、携帯情報端末４００の各種情報が一時的に格納される。送信部４８０は、携帯情報端末４００の端末送信制御手段の一例であり、携帯情報端末４００の各種情報を送信可能なようにエンコードする。受信部４９０は、携帯情報端末４００の端末受信制御手段の一例であり、受信した各種情報を携帯情報端末４００において処理可能なようにデコードする。アンテナ４８５は、携帯情報端末４００の端末受信手段、端末送信手段の一例であり、例えば、アンテナ４８５は、番組選択手段によって選択された対応番組情報に関する選択対応番組データを通信媒体を介して送信することが可能であり、また、アンテナ４８５は、電子機器から送信された対応番組データを受信することが可能である。また、アンテナ４８５は、選択手段による選択結果である選択結果データを通信媒体を介して送信することが可能である。
【００３６】
［サーバ側送信処理］
図５を用いて、サーバ側送信処理を説明する。
【００３７】
ステップＳ２５０においては、番組表データ送信処理を行う。この処理において、サーバ２００の制御部２１０は、番組キーワードを含む番組により構成される番組表に関する番組表データをアンテナ２６０から通信媒体１００を介して送信する処理を行う。この処理が終了した場合には、本サブルーチンを終了する。このように、アンテナ２６０は、番組キーワードを含む番組により構成される番組表に関する番組表データを、通信媒体を介して送信する送信手段の一例である。また、アンテナ２６０は、複数の番組キーワードを含む番組により構成される番組表に関する番組データを送信する送信手段の一例である。なお、対応番組データは通信媒体１００を介して、電子機器３００に送信されるだけではなく、携帯情報端末４００に送信される場合がある。このように、制御部２１０は、当該受信手段に受信された対応番組データを送信手段により携帯情報端末に送信する制御を行うサーバ制御手段の一例である。
【００３８】
［サーバ側同類番組表送信処理］
図６を用いて、サーバ側同類番組表送信処理を説明する。
【００３９】
ステップＳ２６０においては、同類番組キーワード受信処理を行う。この処理において、サーバ２００の制御部２１０は、図７のＳ３７５の処理により送信される同類番組キーワードをアンテナ２６０を用いて受信する処理を行う。この処理が終了した場合には、ステップＳ２６５に処理を移す。このように、アンテナ２６０は、同類番組キーワード情報を受信する受信手段の一例である。
【００４０】
ステップＳ２６５においては、同類番組表データ送信処理を行う。この処理において、サーバ２００の制御部２１０は、Ｓ２６０で受信した同類番組キーワード情報に基づく番組キーワードを含む番組により構成される番組表に関する同類番組表データをアンテナ２６０を用いて送信する処理を行う。この処理が終了した場合には、本サブルーチンを終了する。このように、アンテナ２６０は、受信した同類番組キーワード情報に基づく番組キーワードを含む番組により構成される番組表に関する同類番組表データを通信媒体を介して送信する送信手段の一例である。
【００４１】
［電子機器側番組表データ受信処理］
図７を用いて、電子機器側番組表データ受信処理を説明する。
【００４２】
ステップＳ３７０においては、入力キーワード記憶処理を行う。この処理において、電子機器３００の制御部３１０は、入力部３３０を用いて入力された入力キーワードをメモリ３２０に記憶する処理を行う。この処理が終了した場合には、ステップＳ３７１に処理を移す。このように、メモリ３２０は、ユーザの操作によって入力された入力キーワードを記憶する記憶手段の一例である。
【００４３】
ステップＳ３７１においては、番組表データ受信処理を行う。この処理において、電子機器３００の制御部３１０は、サーバから送信された番組表データを受信する処理を行う。この処理が終了した場合には、ステップＳ３７２に処理を移す。このように、アンテナ３６０は、サーバから送信された番組表データを受信する電子機器受信手段の一例である。
【００４４】
ステップＳ３７２においては、番組キーワード記憶処理を行う。この処理において、電子機器３００の制御部３１０は、番組キーワードをメモリ３２０に記憶する処理を行う。この処理が終了した場合には、ステップＳ３７３に処理を移す。このように、メモリ３２０は、電子機器受信手段によって受信した番組表データに含まれる複数の番組キーワードを記憶する記憶手段の一例である。
【００４５】
ステップＳ３７３においては、番組表データが入力キーワードを含むか否かを判定する処理を行う。この処理において、電子機器３００の制御部３１０は、受信した番組表データが入力キーワードを含むと判定した場合には、ステップＳ３７４に処理を移し、番組表データが入力キーワードを含むと判定しない場合には、本サブルーチンを終了する。このように、制御部３１０は、電子機器受信手段より受信した番組表データが記憶手段に記憶された入力キーワードに対応する番組キーワードを含んでいるか否かを判定する判定手段の一例である。
【００４６】
ステップＳ３７４においては、対応番組データ送信処理を行う。この処理において、電子機器３００の制御部３１０は、入力キーワードに対応する番組キーワードを含む番組に関する対応番組データをアンテナ３６０を用いて送信する処理を行う。この処理が終了した場合には、ステップＳ３７５に処理を移す。このように、アンテナ３６０は、判定手段により番組表データが入力キーワードを含んでいると判定された場合、入力キーワードに対応する番組キーワードを含む番組に関する対応番組データを、通信媒体を介して送信する電子機器送信手段の一例である。
【００４７】
ステップＳ３７５においては、同類番組キーワード送信処理を行う。この処理において、電子機器３００の制御部３１０は、番組表データに含まれる入力キーワードとは異なる番組キーワードに関する同類番組キーワードをアンテナ３６０を用いて送信する処理を行う。この処理が終了した場合には、本サブルーチンを終了する。このように、アンテナ３６０は、判定手段によって電気機器受信手段に受信された番組表データが入力キーワードを含んでいると判定された場合、当該番組表データに含まれる入力キーワードとは異なる番組キーワードに関する同類番組キーワード情報をサーバに送信する電子機器送信手段の一例である。
【００４８】
［電子機器側記録処理］
図８を用いて、電子機器側記録処理を説明する。
【００４９】
ステップＳ３８０においては、選択対応番組データ受信処理を行う。この処理において、電子機器３００の制御部３１０は、図１０のステップにおいて送信された選択対応番組データをアンテナ３６０を用いて受信する処理を行う。この処理が終了した場合には、ステップＳ３８５に処理を移す。このように、アンテナ３６０は、携帯情報端末から送信された選択対応番組データを受信する電子機器受信手段の一例である。
【００５０】
ステップＳ３８５においては、番組記憶処理を行う。この処理において、電子機器３００の制御部３１０は、受信した選択対応番組データに関する番組を録画部３７０に記憶する処理を行う。このように、録画部３７０は、当該受信した選択対応番組データに関する番組を記録する記録手段の一例である。この処理が終了した場合には、本サブルーチンを終了する。
【００５１】
［電子機器側同類番組送信処理］
図９を用いて、電子機器側同類番組送信処理を説明する。
【００５２】
ステップＳ３９０においては、同類番組表データ受信処理を行う。この処理において、電子機器３００の制御部３１０は、アンテナ３６０を用いて同類番組表データを受信する処理を行う。この処理が終了した場合には、ステップＳ３９２に処理を移す。このように、アンテナ３６０は、同類番組表データを受信する電子機器受信手段の一例である。
【００５３】
ステップＳ３９２においては、選択結果データ受信処理を行なう。この処理において、電子機器３００の制御部３１０は、図１１のステップＳ４１５において送信される選択結果データをアンテナ３６０を用いて受信する。この処理が終了した場合は、ステップＳ３９４に処理を移す。このように、アンテナ３６０は、選択結果データを受信する電子機器受信手段の一例である。
【００５４】
ステップＳ３９４においては、対応番組データ送信を有効化するか否かを判定する処理を行う。この処理において、電子機器３００の制御部３１０が、ステップＳ３９２において受信した対応番組データ送信を有効化すると判定した場合には、ステップＳ３９６に処理を移し、対応番組データ送信を有効化すると判定しない場合には、本サブルーチンを終了する。このように、制御部３１０は、電子機器受信手段によって受信された選択結果データに基づき、電子機器送信手段による対応同類番組データの送信を有効化するか否かの決定を制御する電子機器制御手段の一例である。
【００５５】
ステップＳ３９６においては、対応同類番組データ送信処理を行う。この処理において、電子機器３００の制御部３１０は、ステップＳ３９０において受信した同類番組表データに応じた対応同類番組データをアンテナ３６０を用いて送信する処理を行う。この処理が終了した場合には、本サブルーチンを終了する。このように、アンテナ３６０は、電子機器受信手段によって受信した同類番組表データに応じた対応同類番組データを通信媒体を介して送信する電子機器送信手段の一例である。
【００５６】
［携帯情報端末側データ受信処理］
図１０を用いて、携帯情報端末側データ受信処理を説明する。
【００５７】
ステップＳ４００においては、対応番組データ受信処理を行う。この処理において、携帯情報端末４００の制御部４１０は、図７のステップＳ３７４において送信された対応番組データを受信する処理を行う。この処理が終了した場合には、ステップＳ４０２に処理を移す。このように、アンテナ４８５は、電子機器から送信された対応番組データを受信する端末受信手段の一例である。
【００５８】
ステップＳ４０２においては、対応番組データ表示処理を行う。この処理において、携帯情報端末４００の制御部４１０は、ステップＳ４００において受信した複数の対応番組データに関する各々の対応番組データを表示部４４０に表示する処理を行う。この処理が終了した場合には、ステップＳ４０４に処理を移す。このように、表示部４４０は、端末受信手段により受信した複数の対応番組データに関する各々の対応番組情報を表示する表示手段の一例である。
【００５９】
ステップＳ４０４においては、番組選択処理を行う。この処理において、携帯情報端末４００の制御部４１０は、ユーザによる操作部４５０の操作に基づいて表示部４４０に表示される各々の対応番組情報のうち、いずれかの対応番組情報を選択する処理を行う。この処理が終了した場合には、ステップＳ４０６に処理を移す。このように、操作部４５０は、表示手段に表示される各々の対応番組情報のうち、いずれかの対応番組情報をユーザが選択する選択操作が可能な番組選択手段の一例である。
【００６０】
ステップＳ４０６においては、選択対応番組データ送信処理を行う。この処理において、携帯情報端末４００の制御部４１０は、ステップＳ４０４において選択された対応番組データをアンテナ４８５を用いて送信する処理を行う。この処理が終了した場合には、本サブルーチンを終了する。このように、アンテナ４８５は、番組選択手段によって選択された対応番組情報に関する選択対応番組データを通信媒体を介して送信する端末送信手段の一例である。
【００６１】
［携帯情報端末側対応同類番組データ送信制御処理］
図１１を用いて、携帯情報端末側対応同類番組データ送信制御処理を説明する。
【００６２】
ステップＳ４１０においては、対応同類番組データ送信選択処理を行う。この処理において、携帯情報端末４００の制御部４１０は、ユーザの操作部４５０の操作に基づいて、端末受信手段によって受信した対応同類番組データの送信を有効化するか否かを選択する処理を行う。この処理が終了した場合には、ステップＳ４１５に処理を移す。このように、端末受信手段によって受信した対応同類番組データの送信を有効化するか否かをユーザの選択操作で選択させる機能を有する選択手段の一例である。
【００６３】
ステップＳ４１５においては、選択結果データ送信処理を行う。この処理において、携帯情報端末４００の制御部４１０は、ステップＳ４１０において選択された選択結果データをアンテナ４８５を用いて送信する処理を行う。この処理が終了した場合には、本サブルーチンを終了する。このように、アンテナ４８５は、選択手段による選択結果である選択結果データを通信媒体を介して送信する携帯端末送信手段の一例である。
【００６４】
これらの処理によれば、サーバから送信された番組表データに、あらかじめユーザが入力した入力キーワード（例えば、サッカーやニュースなど）に対応する番組キーワードが含まれると判定手段が判定した場合、この入力キーワードを含む番組（例えば、サッカー番組やニュース番組など）により構成される番組表に関する対応番組データ（例えば、テレビやラジオなどの番組表データ）を、携帯情報端末（例えば、携帯電話やページャやパーソナルデジタルアシスタント（ＰＤＡ）やノートパソコンなど）に送信する。このように、ユーザが携帯情報端末上で入力キーワードを含む番組により構成される番組表に関する対応番組データを確認し、好みの番組情報をより容易に入手することが可能であるシステムを提供することができる。
【００６５】
さらに、これらの処理によれば、携帯情報端末が、受信した対応番組データに含まれる対応番組情報から、記録が必要な記録番組を選択し、選択した記録番組に関する選択対応番組データを電子機器（例えば、録音機能付ラジオ、ビデオ、ハードディスクレコーダ、ＤＶＤレコーダなど）に送信する。電子機器が、受信した選択対応番組データに基づき記録番組を記憶（例えば、録音や録画）する。このため、ユーザが携帯情報端末を操作することによって、電子機器に番組の記憶を容易に行わせることができる。このように、ユーザ自身の好みの番組情報がより容易に入手可能であるとともに、好みの番組をより容易に記録することが可能なシステムを提供することができる。
【００６６】
さらに、これらの処理によれば、電子機器（例えば、録音機能付ラジオ、ビデオ、ハードディスクレコーダ、ＤＶＤレコーダなど）が受信した複数の番組キーワード（例えば、サッカーとスペインなど）を含む番組（例えば、スペインサッカー番組など）により構成される番組表に関する番組データの中に入力キーワード（例えば、サッカーなど）が含まれていると判定した場合、入力キーワードとは異なる同類番組キーワード（例えば、スペインなど）をサーバに送信する。さらに、サーバが、受信した同類番組キーワードに基づく番組キーワードを含む番組（例えば、スペイン料理番組や芸術番組など）により構成される番組表に関する同類番組表データを電子機器に送信する。さらに、電子機器が、受信した同類番組表データに応じた選択番組データを携帯情報端末（例えば、携帯電話やページャやパーソナルデジタルアシスタント（ＰＤＡ）やノートパソコンなど）に送信する。このため、携帯情報端末において、ユーザが同類番組キーワード（例えば、スペインなど）を含む番組表を見ることによって、ユーザ自身が認識していなかった、新たな好みのキーワードである同類番組キーワードを含む番組情報を容易に入手し得る。このように、ユーザ自身の好みの番組情報がより容易に入手可能であるとともに、好みの番組をより容易に記録することが可能なシステムを提供することができる。
【００６７】
さらに、これらの処理によれば、携帯情報端末から選択結果データを電子機器に送信することによって、電子機器からの対応同類番組データ送信を有効化するか否かを選択することができる。このため、ユーザにとって新たな好みのキーワードである同類番組キーワード（例えば、スペインなど）を含む番組により構成される番組表に関する同類番組情報のみの携帯情報端末への送信を有効化することで、同類番組キーワードを含む番組情報をより選択的に入手し得る。このように、ユーザ自身の好みの番組情報がより容易に入手可能であるとともに、好みの番組をより容易に記録することが可能なシステムを提供することができる。
【００６８】
さらに、これらの処理によれば、サーバが、あらかじめユーザにより電子機器に入力された入力キーワード（例えば、サッカーやニュースなど）に関する対応番組データ（例えば、テレビやラジオなどの番組表データ）を電子機器から受信し、この対応番組データを携帯情報端末（例えば、携帯電話やページャやパーソナルデジタルアシスタント（ＰＤＡ）やノートパソコンなど）に送信する。このように、携帯情報端末に対して入力キーワードを含む番組により構成される番組表に関する対応番組データを送信することにより、携帯情報端末を持つユーザが、好みの番組情報をより容易に入手することが可能となるサーバを提供することができる。
【００６９】
以上、本発明の実施例を説明したが、具体例を例示したに過ぎず、特に本発明を限定するものではない。すなわち、本発明は、主に、番組キーワードを含む番組により構成される番組表に関する番組表データを、通信媒体を介して送信する送信手段を備えるサーバと、前記サーバから送信された番組表データを受信する電子機器受信手段と、ユーザの操作によって入力された入力キーワードを記憶する記憶手段と、前記電子機器受信手段より受信した番組表データが前記記憶手段に記憶された入力キーワードに対応する番組キーワードを含んでいるか否かを判定する判定手段と、前記判定手段により番組表データが入力キーワードを含んでいると判定された場合、入力キーワードに対応する番組キーワードを含む番組に関する対応番組データを、通信媒体を介して送信する電子機器送信手段とを備える電子機器と、前記電子機器から送信された対応番組データを受信する端末受信手段を備える携帯情報端末とを有することを特徴とするものであるが、サーバ、電子機器、携帯情報端末などの具体的構成は、適宜設計変更可能である。
【００７０】
尚、本発明の実施例に記載された効果は、本発明から生じる最も好適な効果を列挙したに過ぎず、本発明による効果は、本発明の実施例に記載されたものに限定されるものではない。
【図面の簡単な説明】
【００７１】
【図１】本発明の一実施形態のシステムを示す概観図である。
【図２】本発明の一実施形態の送信サーバを示すブロック図である。
【図３】本発明の一実施形態の電子機器を示すブロック図である。
【図４】本発明の一実施形態の携帯情報端末を示すブロック図である。
【図５】本発明の一実施形態のシステムにおいて実行される制御処理を示すフローチャートである。
【図６】本発明の一実施形態のシステムにおいて実行される制御処理を示すフローチャートである。
【図７】本発明の一実施形態のシステムにおいて実行される制御処理を示すフローチャートである。
【図８】本発明の一実施形態のシステムにおいて実行される制御処理を示すフローチャートである。
【図９】本発明の一実施形態のシステムにおいて実行される制御処理を示すフローチャートである。
【図１０】本発明の一実施形態のシステムにおいて実行される制御処理を示すフローチャートである。
【図１１】本発明の一実施形態のシステムにおいて実行される制御処理を示すフローチャートである。
【符号の説明】
【００７２】
１  システム
１００  通信媒体
２１０  制御部
２２０  メモリ
２３０  入力部
２４０  送受信用インターフェース
２５０  番組データ記憶部
２６０  アンテナ
３００  電子機器
３１０  制御部
３２０  メモリ
３３０  入力部
３４０  送信回路
３５０  受信回路
３６０  アンテナ
３７０  録画部
４００  携帯情報端末
４１０  制御部
４２０  マイク部
４３０  スピーカ部
４４０  表示部
４５０  操作部
４６０  ＲＯＭ
４７０  メモリ
４８０  送信部
４８５  アンテナ
４９０  受信部
【図１】
2007174122.tif 000003
【図２】
2007174122.tif 000004
【図３】
2007174122.tif 000005
【図４】
2007174122.tif 000006
【図５】
2007174122.tif 000007
【図６】
2007174122.tif 000008
【図７】
2007174122.tif 000009
【図８】
2007174122.tif 000010
【図９】
2007174122.tif 000011
【図１０】
2007174122.tif 000012
【図１１】
2007174122.tif 000013